(57)【特許請求の範囲】
【請求項１】
印字ケース（１）の内部に、ゴム印字体（３）およびインク吸蔵体（４）を収容する中央の主区画（１１）と、ばねユニット（６）を収容する左右のばね区画（１２）とが左右の区画壁（１０）で区分されており、
前記ばね区画（１２）の上部に、ばねユニット（６）と、押え枠（５）と、グリップ（２）の３者を連結するための連結体（２０）が、印字ケース（１）の上開口から上向きに突出する状態で設けられて、連結体（２０）と前記区画壁（１０）との間に、ばねユニット（６）をばね区画（１２）に組むための組付開口（２１）が形成されており、
ばねユニット（６）は、ばね部（３３）と、ばね部（３３）の上下に設けられる連結ピース（３４）および脚ピース（３５）を一体に備えたプラスチックばねからなり、
連結体（２０）の前後にはばねユニット（６）を連結するためのばね連結部（２８）が、連結体（２０）の下部には印字ケース（１）に組み込んだ押え枠（５）を係合固定する枠連結部（２９）が、連結体（２０）の上部にはグリップ（２）を連結するためのグリップ連結部（３０）が一体に設けられており、
ばねユニット（６）は、その脚ピース（３５）を差込み始端にして、印字ケース（１）の上開口の側から組付開口（２１）を介してばね区画（１２）に差込まれて、連結ピース（３４）に設けた第１係合部（３８）をばね連結部（２８）に圧嵌係合することにより印字ケース（１）と一体化されており、
押え枠（５）の左右壁の外面に設けた第２係合部（４７）、およびグリップ（２）の左右壁の内面に設けた第３係合部（６３）のそれぞれを、連結体（２０）の枠連結部（２９）およびグリップ連結部（３０）に圧嵌係合することにより、押え枠（５）およびグリップ（２）が印字ケース（１）と一体化されており、
前記連結状態において前後に対向するグリップ（２）と押え枠（５）の前後壁に、互いに係合してグリップ（２）のぐら付きを規制する傾動規制構造が設けてある一行印型のゴム印判。
【請求項２】
押え枠（５）の前後壁の上側に、連結状態においてグリップ（２）の前後壁の内面に入込む連結板壁（５１）が上向きに張出してあり、
傾動規制構造が、連結板壁（５１）に設けた第１規制部（６６）と、グリップ（２）の前後壁の内面に設けた第２規制部（６７）とで構成されており、
グリップ（２）の第３係合部（６３）を、連結体（２０）のグリップ連結部（３０）に上方から圧嵌係合した状態において、前記第１規制部（６６）と第２規制部（６７）が互いに凹凸係合してグリップ（２）のぐら付きを規制しており、
第３係合部（６３）がグリップ連結部（３０）に係合するのに先行して、前記第１規制部（６６）と第２規制部（６７）が互いに凹凸係合して、グリップ（２）の連結体（２０）に対する連結を補助している請求請１に記載の一行印型のゴム印判。
【請求項３】
連結体（２０）が、印字ケース（１）の側壁の上面から面一状に内向きに連出される基底壁（２２）と、基底壁（２２）に連続して上向きに突出される前後に長い連結縦壁（２３）と、連結縦壁（２３）の上端から外側方へ連出される連結上壁（２４）とを含み、
基底壁（２２）の上面の前後と、基底壁（２２）に隣接する印字ケース（１）の側壁の上面と、連結縦壁（２３）の前後面とにわたってばね連結部（２８）が設けられており、
基底壁（２２）および連結縦壁（２３）の下隅部分に枠連結部（２９）が設けられており、
連結上壁（２４）の連出端側の下面にグリップ連結部（３０）が設けられており、
ばねユニット（６）の第１係合部（３８）をばね連結部（２８）に、押え枠（５）の第２係合部（４７）を枠連結部（２９）に、グリップ（２）の第３係合部（６３）をグリップ連結部（３０）に、それぞれ圧嵌係合することにより、ばねユニット（６）と押え枠（５）とグリップ（２）が連結体（２０）を介して印字ケース（１）と一体化してある請求項１または２に記載の一行印型のゴム印判。
【請求項４】
ばねユニット（６）の連結ピース（３４）は、その前後から上向きに突設される門形枠部（３６）と、両門形枠部（３６）の間の位置決め凹部（３７）とで逆門形に形成されており、
ばねユニット（６）の第１係合部（３８）が、前後の門形枠部（３６）の上端の外側面と、門形枠部（３６）の対向面にわたって張出されたＬ字状の係合爪（３９）と、係合爪（３９）に連続して門形枠部（３６）の対向面に設けられて、連結縦壁（２３）の前後の外隅で受止められる切欠（４０）とで構成されており、
第１係合部（３８）を連結体（２０）のばね連結部（２８）に対して内側方から外側方へ向かって圧嵌係合した状態において、ばねユニット（６）の連結ピース（３４）が、印字ケース（１）および連結体（２０）で前後、左右、上下方向に固定保持されている請求項３に記載の一行印型のゴム印判。
【請求項５】
押え枠（５）の第２係合部（４７）が、押え枠（５）の左右壁の外面に設けた段部（４９）を含んで構成されており、
押え枠（５）の左右壁の上部前後に一対の押圧突起（４８）が設けられ、押え枠（５）の左右壁の下部に区画壁（１０）で受止められる接当壁（４６）が設けられており、
押え枠（５）の外隅に、その前後壁から前方あるいは後方へ突出する縦長の規制リブ（５０）が設けられており、
押え枠（５）を連結体（２０）の枠連結部（２９）と区画壁（１０）との間に圧嵌係合した状態において、押え枠（５）が連結体（２０）および区画壁（１０）と印字ケース（１）の前後壁で前後、左右、上下方向へ移動不能に係合固定されて、押圧突起（４８）が連結ピース（３４）を印字ケース（１）の左右壁と協働して左右に挟持固定している請求項４に記載の一行印型のゴム印判。
【請求項６】
グリップ（２）の第３係合部（６３）が、グリップ（２）の左右壁の内面に横向きに張出した係合突起（６４）で構成されており、
係合突起（６４）を連結体（２０）のグリップ連結部（３０）に圧嵌係合した状態において、グリップ（２）が、印字ケース（１）および連結体（２０）と、傾動規制構造および押え枠（５）の前後壁で、前後、左右、上下方向へ移動不能に係合固定されている請求項３から５のいずれかひとつに記載の一行印型のゴム印判。
【請求項７】
グリップ（２）が、前後に２分割された同一構造の前後グリップ体（２ａ・２ｂ）を蓋合わせ状に接合して構成されており、
両グリップ体（２ａ・２ｂ）を接合した状態において、互いに嵌合するピン（５７）とボス（５８）とが前後グリップ体（２ａ・２ｂ）の内面の左右に設けられており、
押え枠（５）の前後壁の上部に、グリップ（２）の前後壁の内面に入込む連結板壁（５１）が上向きに突設されており、
グリップ（２）の第３係合部（６３）を、連結体（２０）のグリップ係合部（３０）に圧嵌係合した状態において、前記連結板壁（５１）の側端が前記左右のボス（５８）の周面に接当して、グリップ（２）のぐら付きを傾動規制構造と協同して規制している請求項３から６のいずれかひとつに記載の一行印型のゴム印判。
【発明の詳細な説明】
【技術分野】
【０００１】
本発明は、不使用時の印面を紙面から浮き離れた状態で保持するリフト脚を備えている連続捺印が可能な一行印型のゴム印判に関する。一行印型のゴム印判の印面には、会社名、住所、電話番号、メールアドレス、職域名および担当者名、処方箋に基づいて提供される医薬品の使用上の注意、経費項目および経費コード、カタログ在中などの文字列が横一文字状に形成され、あるいは２段書き状に形成してある。
【背景技術】
【０００２】
一行印型のゴム印判は、印面の前後厚みに比べて左右幅が充分に大きく設定されていて、横長四角形状の板体を長辺部側の端面を下にして起立させた構造になっており、その殆どはインク吸蔵体を備えた連続捺印が可能なゴム印判として構成してある。また、不使用時の印面が載置面や紙面に接触するのを避けるために、印判全体を浮揚支持するリフト脚がゴム印判の左右側端に配置してある。この種のゴム印判は、例えば本出願人の提案に係る特許文献１に公知である。そこでは、グリップを兼ねる主ケースおよび蓋体と、ゴム印字体およびそのホルダーと、左右一対の側枠と、印字ケースを浮揚支持する左右一対のリフトばねなどでゴム印判を構成している。リフトばねは側枠と一体に形成してある。
【０００３】
本出願人は、特許文献１の一行印型のゴム印判を発展改良したゴム印判を提案し（特許文献２）、既に販売している。そこでは、印字ケースと、印字ケースに収容されるインク吸蔵体およびゴム印字体と、それぞれ印字ケースに組付けられる押え枠、左右一対のばねユニット、グリップなどでゴム印判を構成している。印字ケースにはインク吸蔵体およびゴム印字体を収容する主区画が設けてあり、主区画の左右にばねユニットを収容するばね区画が設けてある。ばね区画の上開口の内面には連結体が内向き（横向き）に突設してある。ばねユニットは、ｍ字状のばね部と、ばね部の上下に連続する連結部と脚部とを一体に備えたプラスチックばねからなり、連結部に先の連結体に係合する連結穴と、グリップを連結するための係合爪が形成してある。この改良されたゴム印判によれば、特許文献１の一行印型のゴム印判に比べて構成部品点数を削減でき、さらに組立を容易化して、ゴム印判の全体コストを削減できる。
【０００４】
各部品を組む際には、左右のばねユニットを印字ケースの下面側からばね区画に差込んで、連結部を印字ケースの上開口から上方へ突出させ、この状態で連結穴を連結体に係合する。次に、ゴム印字体とインク吸蔵体を主区画に装着し、両者の組み付け姿勢を整えた状態で、押え枠の左右壁を連結体の突端に係合して印字ケースと一体化する。最後に、グリップの内面の左右に設けた連結凹部を、ばねユニットの左右の連結部に差込んで位置決めし、印字ケースとグリップを互いに押付けてグリップを印字ケースと一体化する。
【先行技術文献】
【特許文献】
【０００５】
【特許文献１】特開２００８−２６５１１２号公報（段落番号００２２、図２）
【特許文献２】特開２０１１−０４２１３９号公報（段落番号００２２、図３）
【発明の概要】
【発明が解決しようとする課題】
【０００６】
特許文献１の一行印型のゴム印判は、従来のこの種のゴム印判に比べて、構成部品点数を削減でき、印面の前後厚みが共通し左右幅が異なる複数種のゴム印判において、側枠とリフトばねを共通部品化して、ゴム印判の全体コストを削減できる。しかし、捺印性能、リフトばねの弾性力などの基本的な機能は満足できるものの、組立に手間取ることが判った。ゴム印字体、およびインク吸蔵体を除く構成部品を、全て主ケースに組み付けるからである。
【０００７】
特許文献１のゴム印判をベースにして、印判全体を浮揚支持するリフト構造や各部品の組付け構造を改良した特許文献２の一行印型のゴム印判によれば、特許文献１の一行印型のゴム印判に比べて、さらなる構成部品点数の削減を実現できるうえ、組立のしにくさを改善できた。また、ばねユニットを印字ケースの両側端のばね区画に組込むので、ばね構造がゴム印判の外面に露出するのを防いで、一行印型のゴム印判の外観上の印象をすっきりさせることができた。
【０００８】
しかし、特許文献２の一行印型のゴム印判の全体構造を再検討した結果、ばねユニットの印字ケースに対する組立に手間が掛かっている点、さらに、捺印時のグリップの保持姿勢や押圧操作が不適正であると、僅かではあるもののグリップと印字ケースとがぐら付く（傾動する）点に改良の余地があることを確認した。組立に手間が掛かる原因を追求した結果、左右のばねユニットを印字ケースの下面側からばね区画に差込んで、連結部を印字ケースの上開口から上方へ突出させたのち、連結穴を連結体に係合するのが要因であることを確認した。
【０００９】
詳しくは、先に説明したようにばねユニットの上部には四角形状の連結部が設けてあるが、ばねユニットをばね区画に組込む際には、連結部が内向きに突設する連結体と接当してしまう。そのため、実際の組立時には、連結部が連結体に接当した状態で、印字ケースを持ち換えて、同ケースの上開口の側から連結部を内向きに弾性変形させて、連結部を印字ケースの上開口から上方へ突出させ、この状態で連結穴を連結体に係合している。また、ばねユニットおよび印字ケースの成形時の寸法のばらつきによっては、連結部をばね区画に下面側から差込む際に、連結部が連結体に接当するのに先行して、連結部がばね区画の周囲壁に接当して、それ以上ばねユニットを押込み操作できないことがある。これは成形の都合上、ばね区画の周囲壁が下拡がり状の抜き勾配を備えた状態で形成してあり、ばね区画の上側の左右幅が、ばね区画の下端の左右幅より小さくなっているからである。
【００１０】
捺印時にグリップと印字ケースとがぐら付くのは、グリップと印字ケースとが、ばねユニットの連結部を介して間接的に連結してあるのが原因である。詳しくは、ばねユニットの連結部を印字ケースの連結体に係合したのち、ばねユニットの左右の連結部をグリップの左右の連結凹部に係合して、グリップをばねユニットの連結部を介して印字ケースに間接的に連結している。この連結構造では、グリップと印字ケースは、ばねユニットの連結部を介して繋がっているだけであり、さらにばねユニットが弾性変形しやすいプラスチック材で形成してあるため、グリップを支持する連結部が弾性変形しやすい。そのため、捺印時のグリップの保持姿勢や押圧操作が不適正であると、グリップが印字ケースに対してぐら付きやすく、そのため、印面の両端で印字濃度にばらつきを生じるおそれがあった。こうした捺印不良は、左右幅が大きな一行印型のゴム印判において発生しやすい傾向があり、捺印動作をゆっくりと慎重に行わない限り良質の印字結果が得られにくかった。
【００１１】
本発明の目的は、構成部品点数を削減しながら、ばねユニットの印字ケースに対する組立を簡便かつ的確に行なうことができ、さらに、グリップと印字ケースの連結構造を改良してグリップのぐらつきを解消でき、従って良質の捺印結果が得られる一行印型のゴム印判を提供することにある。
【課題を解決するための手段】
【００１２】
本発明に係る一行印型のゴム印判は、印字ケース１の内部に、ゴム印字体３およびインク吸蔵体４を収容する中央の主区画１１と、ばねユニット６を収容する左右のばね区画１２とが左右の区画壁１０で区分してある。ばね区画１２の上部に、ばねユニット６と、押え枠５と、グリップ２の３者を連結するための連結体２０が、印字ケース１の上開口から上向きに突出する状態で設けてある。連結体２０と区画壁１０との間に、ばねユニット６をばね区画１２に組むための組付開口２１が形成してある。ばねユニット６は、ばね部３３と、ばね部３３の上下に設けられる連結ピース３４および脚ピース３５を一体に備えたプラスチックばねからなる。連結体２０の前後にはばねユニット６を連結するためのばね連結部２８が、連結体２０の下部には印字ケース１に組み込んだ押え枠５を係合固定する枠連結部２９が、連結体２０の上部にはグリップ２を連結するためのグリップ連結部３０が一体に設けてある。ばねユニット６は、その脚ピース３５を差込み始端にして、印字ケース１の上開口の側から組付開口２１を介してばね区画１２に差込まれて、連結ピース３４に設けた第１係合部３８をばね連結部２８に圧嵌係合することにより印字ケース１と一体化する。押え枠５の左右壁の外面に設けた第２係合部４７、およびグリップ２の左右壁の内面に設けた第３係合部６３のそれぞれを、連結体２０の枠連結部２９およびグリップ連結部３０に圧嵌係合することにより、押え枠５およびグリップ２が印字ケース１と一体化されている。連結状態において前後に対向するグリップ２と押え枠５の前後壁に、互いに係合してグリップ２のぐら付きを規制する傾動規制構造を設ける。
【００１３】
押え枠５の前後壁の上側に、連結状態においてグリップ２の前後壁の内面に入込む連結板壁５１を上向きに張出す。傾動規制構造は、連結板壁５１に設けた第１規制部６６と、グリップ２の前後壁の内面に設けた第２規制部６７とで構成する。グリップ２の第３係合部６３を、連結体２０のグリップ連結部３０に上方から圧嵌係合した状態においては、第１規制部６６と第２規制部６７とが互いに凹凸係合してグリップ２のぐら付きを規制する。第３係合部６３がグリップ連結部３０に係合するのに先行して、第１規制部６６と第２規制部６７が互いに凹凸係合して、グリップ２の連結体２０に対する連結を補助する。
【００１４】
連結体２０は、印字ケース１の側壁の上面から面一状に内向きに連出される基底壁２２と、基底壁２２に連続して上向きに突出される前後に長い連結縦壁２３と、連結縦壁２３の上端から外側方へ連出される連結上壁２４とを含む。基底壁２２の上面の前後と、基底壁２２に隣接する印字ケース１の側壁の上面と、連結縦壁２３の前後面とにわたってばね連結部２８を設ける。基底壁２２および連結縦壁２３の下隅部分に枠連結部２９を設ける。連結上壁２４の連出端側の下面にグリップ連結部３０を設ける。ばねユニット６の第１係合部３８をばね連結部２８に、押え枠５の第２係合部４７を枠連結部２９に、グリップ２の第３係合部６３をグリップ連結部３０に、それぞれ圧嵌係合することにより、ばねユニット６と押え枠５とグリップ２を連結体２０を介して印字ケース１と一体化する。
【００１５】
ばねユニット６の連結ピース３４は、その前後から上向きに突設される門形枠部３６と、両門形枠部３６の間の位置決め凹部３７とで逆門形に形成する。ばねユニット６の第１係合部３８は、前後の門形枠部３６の上端の外側面と、門形枠部３６の対向面にわたって張出されたＬ字状の係合爪３９と、係合爪３９に連続して門形枠部３６の対向面に設けられて、連結縦壁２３の前後の外隅で受止められる切欠４０とで構成する。第１係合部３８を連結体２０のばね連結部２８に対して内側方から外側方へ向かって圧嵌係合した状態において、ばねユニット６の連結ピース３４は、印字ケース１および連結体２０で前後、左右、上下方向に固定保持されている。
【００１６】
押え枠５の第２係合部４７は、押え枠５の左右壁の外面に設けた段部４９を含んで構成する。押え枠５の左右壁の上部前後に一対の押圧突起４８を設け、押え枠５の左右壁の下部に区画壁１０で受止められる接当壁４６を設ける。押え枠５の外隅に、その前後壁から前方あるいは後方へ突出する縦長の規制リブ５０を設ける。押え枠５を連結体２０の枠連結部２９と区画壁１０との間に圧嵌係合した状態において、押え枠５は連結体２０および区画壁１０と印字ケース１の前後壁で前後、左右、上下方向へ移動不能に係合固定される。また、押圧突起４８は連結ピース３４を印字ケース１の左右壁と協働して左右に挟持固定している。
【００１７】
グリップ２の第３係合部６３は、グリップ２の左右壁の内面に横向きに張出した係合突起６４で構成する。係合突起６４を連結体２０のグリップ連結部３０に圧嵌係合した状態において、グリップ２は、印字ケース１および連結体２０と、傾動規制構造および押え枠５の前後壁で、前後、左右、上下方向へ移動不能に係合固定される。
【００１８】
グリップ２は、前後に２分割された同一構造の前後グリップ体２ａ・２ｂを蓋合わせ状に接合して構成する。両グリップ体２ａ・２ｂを接合した状態において、互いに嵌合するピン５７とボス５８とが前後グリップ体２ａ・２ｂの内面の左右に設けられている。押え枠５の前後壁の上部に、グリップ２の前後壁の内面に入込む連結板壁５１を上向きに突設する。グリップ２の第３係合部６３を、連結体２０のグリップ係合部３０に圧嵌係合した状態において、連結板壁５１の側端が左右のボス５８の周面に接当して、グリップ２のぐら付きを傾動規制構造と協動同して規制している。
【発明の効果】
【００１９】
本発明に係る一行印型のゴム印判においては、印字ケース１の内部を左右の区画壁１０で、中央の主区画１１と左右のばね区画１２とに区分し、ばね区画１２の上部に連結体２０を印字ケース１の上開口から上向きに突出する状態で設けるようにした。また、印字ケース１に組付けられるばねユニット６と、押え枠５と、グリップ２の３者を先の連結体２０にそれぞれ連結することにより、印字ケース１に連結できるようにした。とくに、ばねユニット６は、その脚ピース３５を差込み始端にして、印字ケース１の上開口の側から組付開口２１を介してばね区画１２に差込み、第１係合部３８を連結体２０のばね連結部２８に圧嵌係合することにより印字ケース１と一体化できるようにした。また、グリップ２の第３係合部６３を、連結体２０の上部に設けたグリップ連結部３０に圧嵌係合することにより、グリップ２を印字ケース１と一体化できるようにした。
【００２０】
上記のように、ばねユニット６を、印字ケース１の上開口の側から組付開口２１を介してばね区画１２に組付けるようにすると、従来の一行印型のゴム印判に比べて、ばねユニット６の印字ケース１に対する組立をより簡便にしかも的確に行なうことができる。ばねユニット６をばね区画１２に組付ける際に、差込み始端となる脚ピース３５がばね区画１２の周囲壁に引っ掛かることもない。また、印字ケース１と一体に形成した連結体２０のグリップ連結部３０に、グリップ２の第３係合部６３を直接連結し、さらに、グリップ２と押え枠５の前後壁に、互いに係合してグリップ２のぐら付きを規制する傾動規制構造を設けるので、全体としてグリップ２の印字ケース１に対する連結構造を堅牢化できる。従って、捺印時にグリップ２が印字ケース１に対してぐら付くのを一掃して、常に適正な印字品質を発揮できる一行印型のゴム印判を提供できる。組立の過程では印字ケース１に対して、ばねユニット６、ゴム印字体３、インク吸蔵体４、押え枠５、グリップ２を、印字ケース１の上開口の側から所定の手順に従って係合連結し、あるいは装填すればよいので、より少ない手間で簡便に組立作業を行なえる。
【００２１】
押え枠５の連結板壁５１に設けた第１規制部６６と、グリップ２の前後壁に設けた第２規制部６７とで傾動規制構造を構成すると、グリップ２を連結体２０に連結した状態において、両規制部６６・６７を互いに凹凸係合させてグリップ２のぐら付きを規制することができる。また、第３係合部６３がグリップ連結部３０に係合するのに先行して、第１規制部６６と第２規制部６７が互いに凹凸係合して、グリップ２の連結体２０に対する連結操作を両規制部６６・６７で補助すると、第３係合部６３とグリップ連結部３０を互いに位置決めした状態で圧嵌係合できる。従って、グリップ２が無理な組付姿勢のままで連結体２０に組付けられるのを一掃して、グリップ２を常に適正な状態で連結体２０に組付けることができ、組付けの過程で、第３係合部６３やグリップ連結部３０に無理な力が加わって変形し破損することもない。
【００２２】
基底壁２２と連結縦壁２３と連結上壁２４などで連結体２０を構成し、各壁２２・２３・２４の外面を利用してばね連結部２８と枠連結部２９とグリップ連結部３０を設けると、各連結部２８〜３０を連結体２０に無駄のない状態で形成しながら、連結体２０の構造強度を増強できる。また、連結体２０を構成する基底壁２２、連結縦壁２３、連結上壁２４は、互いに交差する複雑な構造になっているにもかかわらず、印字ケース１を射出成形する際に同時に成形することにより、構成部品点数が増えるのを避けながら一行印型のゴム印判の製造コストを削減できる。さらに、第１係合部３８と第２係合部４７と第３係合部６３を、それぞれ対応する連結部２８〜３０に圧嵌係合するだけで、ばねユニット６と押え枠５とグリップ２の３者を連結体２０に対して強固に連結でき、とくに従来のこの種のゴム印判に比べて、グリップ２と印字ケース１の連結強度を向上してグリップ２のぐら付きを確実に防止できる。
【００２３】
門形枠部３６と位置決め凹部３７とで連結ピース３４を逆門形に形成し、門形枠部３６に設けたＬ字状の係合爪３９と切欠４０とで第１係合部３８を構成すると、第１係合部３８をばね連結部２８に圧嵌係合した状態において、連結ピース３４を印字ケース１および連結体２０で前後、左右、上下方向に固定保持できる。詳しくは、図７に示すようにＬ字状の係合爪３９が基底壁２２と同壁に連続する印字ケース１の側壁の上面で受止められ、図１に示すように位置決め凹部３７が基底壁２２および連結縦壁２３の下面で受止められて、上下方向の動きが規制される。さらに、連結ピース３４の外側面が、印字ケース１の側壁の内面で受止められ、同時に図７に示すように、係合爪３９に連続する切欠４０が連結縦壁２３の外側面と前後面とで受止められて、左右方向の動きと前後方向の動きが規制される。このように、第１係合部３８の多数個所を、ばね連結部２８に同時に係合させて連結ピース３４の動きを規制すると、捺印時に脚ピース３５がばね区画１２に対して出没する状態であっても、連結ピース３４がばね力を受けて動くのを確実に防止できる。従って、ばね部３３のばね力を常に均等に発揮させてゴム印判の捺印を安定して行なえる。
【００２４】
押え枠５の左右壁に設けた段部４９を含んで第２係合部４７を構成し、押え枠５の左右壁の下部に接当壁４６を設けると、押え枠５を枠連結部２９と区画壁１０との間に圧嵌係合した状態において、押え枠５を連結体２０および区画壁１０と印字ケース１の前後壁で前後、左右、上下方向へ係合固定できる。詳しくは、図１に示すように、段部４９が枠連結部２９に係合し、接当壁４６が区画壁１０の上面と係合して、押え枠５の上下方向と左右方向への動きが規制される。また、図７に示すように、押え枠５に設けた規制リブ５０が印字ケース１の前後壁で受止められて、前後方向への動きが規制される。このように、押え枠５を印字ケース１に対して前後、左右、上下方向へ移動不能に係合固定すると、押え枠５が主区画１１内へ過剰に押し込まれるのを防止して、主区画１１に配置したインク吸蔵体４およびゴム印字体３を、押え枠５で過不足なく常に適正に押え保持して、ゴム印字体３による印字機能を均質化できる。さらに、押え枠５を印字ケース１に圧嵌係合した状態においては、押え枠５の押圧突起４８が印字ケース１の左右壁と協働して連結ピース３４を左右に挟持固定するので、連結ピース３４がばね部３３の弾性力を受けて左右方向へ動こうとするのを、さらに確実に防止できる。
【００２５】
グリップ２の左右壁の内面に設けた係合突起６４で第３係合部６３を構成すると、係合突起６４をグリップ連結部３０に圧嵌係合した状態において、グリップ２を印字ケース１および連結体２０と、傾動規制構造および押え枠５の前後壁で、前後、左右、上下方向への動きを規制できる。詳しくは、係合突起６４をグリップ連結部３０に圧嵌係合した状態では、グリップ２の下面が印字ケース１の周囲壁の上面で受止められ、係合突起６４が連結上壁２４で受止められて、グリップ２の上下方向への動きが規制される（図１参照）。また、図９に示すように、第２規制部６７と第１規制部６６が互いに係合し、同時に連結板壁５１の側端が左右のボス５８の周面に接当して、グリップ２の左右方向への動きが規制される。さらに、グリップ２の前後壁が押え枠５の連結板壁５１で受止められて、グリップ２の前後方向への動きが規制される。従って、印字ケース１に装着した状態のグリップ２が、印字ケース１に対して移動し、あるいはがた付くのをさらに確実に防止して、印面の両端で印字濃度にばらつきが生じるのを解消でき、常に良質の捺印結果を発揮できる一行印型のゴム印判を提供できる。
【図面の簡単な説明】
【００２６】
【図１】一行印型のゴム印判の連結構造を示す縦断正面図である。
【図２】一行印型のゴム印判の斜視図である。
【図３】キャップを分離した状態の一行印型のゴム印判の縦断正面図である。
【図４】一行印型のゴム印判の連結構造を示す、一部を破断した分解正面図である。
【図５】一行印型のゴム印判の連結構造を示す、要部の分解斜視図である。
【図６】ばねユニットの組付け途中状態を示す横断平面図である。
【図７】ばねユニットおよび押え枠を組付けた状態の平面図である。
【図８】グリップの連結構造を示す一部破断正面図である。
【図９】図３におけるＡ−Ａ線断面図である。
【図１０】図１におけるＢ−Ｂ線断面図である。
【図１１】グリップ連結構造の変形例を示す要部の縦断正面図である。
【発明を実施するための形態】
【００２７】
（実施例）  図１ないし図１０は本発明に係る一行印型のゴム印判の実施例を示す。図２において一行印型のゴム印判は、印字ケース１と、印字ケース１の上部に連結されるグリップ２とを外殻体にして構成してある。印字ケース１にはゴム印字体３とインク吸蔵体４が収容され、さらに、前記両者３・４を押え保持する押え枠５と左右一対のばねユニット６・６とが組み込んである。
【００２８】
図３および図４において、印字ケース１は、上下面が開口する左右横長の四角枠状のプラスチック成形品からなる。印字ケース１の内部は、その前後壁を繋ぐ左右一対の区画壁１０で、中央の主区画１１と、主区画１１に隣接する左右一対のばね区画１２とに区分してある。主区画１１の下面側の開口縁には、ゴム印字体３の下面周縁を受け止める受壁１３が周回状に張り出し形成してある。受壁１３の下面の周囲には、印面が過剰に押し潰されるのを規制する規制壁１４が周回状に設けてある。
【００２９】
区画壁１０は、印字ケース１の左右側壁の内面に設けてあり、印字ケース１の下面とケース内面の上下方向中途部との間にわたって形成してある。左右の区画壁１０の間の主区画１１にゴム印字体３とインク吸蔵体４が収容され、両区画壁１０より上側の空間に配置した押え枠５で押え保持される。印字ケース１の前後面の下部、および左右側面の下部のそれぞれには、印字領域を表す位置決め凹部１５・１６が凹み形成され、前後面の位置決め凹部１５の左右中央に位置決め用の中央指標１７が縦長リブ状に形成してある（図２参照）。
【００３０】
ゴム印字体３は、連続捺印が可能な多孔質ゴムで形成してあり、その印面３ａは左右方向へ長い帯状に形成してある。印面３ａには、例えば１行だけの文字列や数字列を印字する捺印部が形成してある。インク吸蔵体４は、連続気泡性の硬質の発泡プラスチック体からなり、ゴム印字体３と同様に左右横長に形成してある。主区画１１に装填したゴム印字体３およびインク吸蔵体４は、必要に応じて印字ケース１に対して接着固定される。不使用状態におけるゴム印字体３の印面３ａは、印字ケース１に外嵌するキャップ７（図３参照）で覆われる。
【００３１】
印字ケース１のばね区画１２の上部には、ばねユニット６と、押え枠５と、グリップ２を印字ケース１に連結するための連結体２０が、印字ケース１の上開口から上向きに突出する状態で設けてある。この連結体２０と区画壁１０との間に、ばねユニット６をばね区画１２に組むための組付開口２１が形成してある。連結体２０は、印字ケース１を射出成形する際に一体に形成される。後述するように、ばねユニット６は、印字ケース１の上開口の側から組付開口２１を介してばね区画１２内へ組み込まれる。
【００３２】
図５に示すように、連結体２０は、印字ケース１の側壁の上面から面一状に内向きに連出される前後の基底壁２２と、基底壁２２に連続して上向きに連出される前後に長い連結縦壁２３と、連結縦壁２３の上端から外側方へ連出される連結上壁２４と、基底壁２２と連結縦壁２３の内隅部分に形成される補強用のリブ壁２５で構成する。この連結体２０に、ばねユニット６を圧嵌係合するためのばね連結部２８と、押え枠５を圧嵌係合するための枠連結部２９と、グリップ２を圧嵌係合するためのグリップ連結部３０を設ける。ばね連結部２８は、前後の基底壁２２の上面と、基底壁２２に隣接する印字ケース１の側壁の上面と、連結縦壁２３の前後面などで構成する。枠連結部２９は、基底壁２２および連結縦壁２３の下隅部分で構成する。グリップ連結部３０は連結上壁２４の連出端側の下面に設けてあり、連結上壁２４の突端面には、後述する係合リブ６４との係合を円滑化する係合案内面３１が斜めに形成してある。連結体２０を印字ケース１の成形時に一体に形成するために、印字ケース１の側壁内面から基底壁２２の内端までの左右寸法は、印字ケース１の側壁内面から区画壁１０までの左右寸法と同じか、これより僅かに小さく設定してある。
【００３３】
図４においてばねユニット６は、３個の屈曲部を備えたｍ字状のばね部３３と、ばね部３３の上端に連続する逆門形の連結ピース３４と、ばね部３３の下端に連続する四角形状の脚ピース３５を一体に備えたプラスチックばねからなる。左右のばねユニット６・６は同一部品である。連結ピース３４は、その前後から上向きに突設される門形枠部３６と、両門形枠部３６の間の位置決め凹部３７とで逆門形に形成してあり、門形枠部３６の上部に先のばね連結部２８と係合する第１係合部３８が形成してある。図５に示すように、第１係合部３８は、前後の門形枠部３６の上端の外側面と門形枠部３６の対向面にわたって張出したＬ字状の係合爪３９と、係合爪３９に連続して門形枠部３６の対向面に設けた切欠４０とで構成する。係合爪３９の前後の対向面には、ばね連結部２８との係合を円滑化する係合案内面４２が斜めに形成してある。ばねユニット６の第１係合部３８を、連結体２０のばね連結部２８に連結した状態における係合構造の詳細は後述する。脚ピース３５は連結ピース３４に比べて左右厚みが大きく設定され、前後長さが小さく設定してあり、その下面の前後２個所には脚リブ４１が形成してある。
【００３４】
押え枠５は、上下面が開口する左右横長の四角枠状のプラスチック成形品からなり、その左右壁の下端には押え脚枠４４が内向きに膨出され、前後壁の内面の左右中央の２個所には押えリブ４５がそれぞれ形成してあり、これらの押え脚枠４４と押えリブ４５でインク吸蔵体４およびゴム印字体３を押え保持する。押え脚枠４４の下面側には、区画壁１０で受止められる接当壁４６が形成してある。図５に示すように、押え枠５の左右壁の外面の上部に、前後に長い第２係合部４７が形成され、第２係合部４７より上側の前後に一対の押圧突起４８が設けてある。第２係合部４７はくさび状の突起からなり、この突起と上端の段部４９が第２係合部４７を構成している。
【００３５】
押え枠５の外隅には、その前後壁から前方あるいは後方へ突出する縦長の規制リブ５０が設けてある。押え枠５の前後壁の上側には、連結状態においてグリップ２の前後壁の内面に入込む連結板壁５１が上向きに張出してあり、前後に対向するグリップ２の前後壁と連結板壁５１に、互いに係合してグリップ２の左右傾動を規制する傾動規制構造が設けてある。連結板壁５１の厚みは、押え枠５の前後壁の厚みより僅かに大きく設定してあり、その下縁に連続して４個の補強リブ５２が形成してある。
【００３６】
押え枠５を印字ケース１に装填した状態においては、図１に示すように押え枠５の下面の接当壁４６が左右の区画壁１０の上端面で受止められるので、押え脚枠４４が主区画１１内へ過剰に押し込まれるのを防止して、ゴム印字体３とインク吸蔵体４を押え脚枠４４と押えリブ４５で適度に押え保持できる。インク吸蔵体４に対するインクの補充は、グリップ２を印字ケース１から取り外したのち、押え枠５を印字ケースに装着した状態のままで、その上面開口の側からインクを滴下して行なう。
【００３７】
図３に示すように、グリップ２は、前後に２分割した前後グリップ体２ａ・２ｂを蓋合わせ状に接合して構成してあり、前後の各グリップ体２ａ・２ｂは同一構造のプラスチック成形品として形成してある。前グリップ体２ａおよび後グリップ体２ｂは、横長四角形状の主面壁５４を有し、その両側縁および上縁に沿ってコ字状の周囲壁５５が張り出してある。また、周囲壁５５で囲まれる主面壁５４の内面には、逆Ｔ字状の補強リブ５６を設け、さらに周囲壁５５の上部と補強リブ５６の水平のリブ壁に沿って、互いに嵌係合する合計８個のピン５７およびボス５８を設けている。周囲壁５５の一側には接合状態において前後のグリップ体２ａ・２ｂが左右方向に横ずれするのを防ぐ規制壁５９が突設してある。
【００３８】
ピン５７とボス５８の配置パターンは、前後の各グリップ体２ａ・２ｂにおいて左右対称の関係にあり、したがって、両グリップ体２ａ・２ｂを蓋合わせ状に接合した状態において、対応するピン５７とボス５８とは互いに係合する。グリップ２の内部は、主面壁５４に設けた補強リブ５６の水平のリブ壁で上下に区分される。このリブ壁より下方に下向きに開口する区室６０が形成され、この区室６０に臨む左右の周囲壁５５の内面に、先のグリップ連結部３０と係合する第３係合部６３が形成してある（図１参照）。第３係合部６３は、グリップ２の左右壁の内面に横向きに張出した係合リブ（係合突起）６４で構成されており、その突端面には先の連結上壁２４との係合を円滑化する係合案内面６５が斜めに形成してある。
【００３９】
傾動規制構造は、押え枠５の連結板壁５１に設けた第１規制部６６と、グリップ２の前後壁の内面に設けた第２規制部６７とで構成する。この実施例では、連結板壁５１の左右中央に、中央の一対の補強リブ５２に連続する規制凹部６８を設けて第１規制部６６とした（図３参照）。また、主面壁５４の内面下部の左右中央に一対の規制リブ６９を設けて第２規制部６７とした。規制凹部６８と規制リブ６９とは、グリップ２の第３係合部６３を連結体２０のグリップ連結部３０に上方から圧嵌係合した状態において、垂直の係合面を介して互いに凹凸係合してグリップ２の左右傾動を規制する。第２規制部６７は、四角形状の膨出壁で形成してあってもよい。
【００４０】
図３に示すように、第３係合部６３をグリップ連結部３０に上方から圧嵌係合した状態においては、上記の傾動規制構造に加えて、押え枠５の連結板壁５１の左右端と、グリップ２の区室６０側に設けた左右一対のボス５８とが係合して、傾動規制構造と協同してグリップ２の左右傾動を規制している。従って、グリップ２を印字ケース１に連結した状態における連結強度を向上し、グリップ２が印字ケース１に対してぐら付くのを確実に規制できる。その結果、捺印時に印面３ａの全体に均等な捺印力を作用させて印字濃度がばらつくのを解消し、良質の捺印結果を発揮できる一行印型のゴム印判とすることができる。
【００４１】
以上のように構成した一行印型のゴム印判は、例えば以下に説明する手順で簡便に組むことができる。前後のグリップ体２ａ・２ｂは予め接合して接着剤で固定しておく。まず、図４に示すように左右のばねユニット６をその脚ピース３５を差込み始端にして、印字ケース１の上開口の側から組付開口２１を介してばね区画１２に差込んで、脚ピース３５の大半をばね区画１２の下開口から下向きに突出させる。この状態のばねユニット６は、ばね部３３が弾性変形した状態で、連結ピース３４が連結縦壁２３の内側面で受止められている（図４および図６参照）。次に、前後一対の係合爪３９の係合案内面４２を連結縦壁２３に対して内側方から外側方へ向かって押付けることにより、一対の係合爪３９が門形枠部３６を弾性変形させながら連結縦壁２３を乗越えてばね連結部２８にパチンと圧嵌係合する。これにより、ばねユニット６を連結体２０のばね連結部２８に連結して印字ケース１と一体化できる。このように、ばねユニット６は印字ケース１に対して、同ケース１の上開口の側から組付け操作するだけで簡便に組み付けることができる。
【００４２】
ばね連結部２８に連結した状態のばねユニット６は、図７に示すように、係合爪３９の下面が基底壁２２の上面と、基底壁２２に隣接する印字ケース１の側壁の上面で受止められている。また、位置決め凹部３７が基底壁２２および連結縦壁２３の下面で受止められている（図１参照）。さらに、連結ピース３４の外側面が、印字ケース１の側壁の内面で受止められ、同時に係合爪３９に連続する切欠４０が、連結縦壁２３の外側面と前後面とで受止められている。この状態の連結ピース３４は、印字ケース１の側壁と連結体２０で前後、左右、上下方向に固定保持される。このように、多数個所を同時に係合させて連結ピース３４の移動を規制すると、捺印時に脚ピース３５がばね区画１２に対して出没する状態であっても、連結ピース３４がばね力を受けて移動するのを確実に防止して、ばね部３３が弾性変形するときのばね力を均一で安定したものとすることができる。
【００４３】
上記のように、ばねユニット６を印字ケース１に組付けたのち、ゴム印字体３とインク吸蔵体４を主区画１１に装着し、両者３・４の組み付け姿勢を整えたのち、押え枠５を印字ケース１の上開口の側から主区画１１に差込む。詳しくは、押え枠５を斜めにして、片方の接当壁４６を区画壁１０にあてがい、他方の側壁を連結体２０の連結縦壁２３の内側面にあてがう。さらに、区画壁１０と接当している接当壁４６を支点にして、押え枠５の傾斜上部を下向きに押込み操作することにより、第２係合部４７のくさび状部が連結縦壁２３を弾性変形させながら乗越え、その段部４９が、基底壁２２および連結縦壁２３の下隅部分に設けた枠連結部２９にパチンと圧嵌係合する。
【００４４】
この状態の押え枠５は、図１に示すように、段部４９が枠連結部２９に係合し、接当壁４６が区画壁１０の上面と係合して、押え枠５の全体が上下方向と左右方向へ移動不能に固定保持される。また、押え枠５に設けた規制リブ５０が印字ケース１の前後壁で受止められて、前後方向へ移動不能に固定保持される（図７参照）。さらに、押え枠５の左右壁に設けた押圧突起４８は、ばねユニット６の連結ピース３４を印字ケース１の左右壁と協同して挟持固定している（図１参照）。従って、印字ケース１に装着した状態の押え枠５は、印字ケース１と連結体２０と区画壁１０で前後、左右、上下方向へ移動不能に係合固定されている。このように、押え枠５を印字ケース１に対して前後、左右、上下方向へ移動不能に係合固定すると、主区画１１に配置したインク吸蔵体４およびゴム印字体３を、押え枠５で過不足なく常に適正に押え保持できるので、ゴム印字体３による印字機能を均質化できる。
【００４５】
最後に、グリップ２を連結体２０を介して印字ケース１に組むが、その過程では図８に示すように、他に先行して第２規制部６７が第１規制部６６と係合するので、グリップ２が印字ケース１に対して位置決めされ、第１規制部６６によって組付案内される。この状態のままで、グリップ２の傾斜上部側を印字ケース１へ向かって押下げ操作すると、第３係合部６３の係合リブ６４の係合案内面６５と、グリップ連結部３０の係合案内面３１とが互いに接当して、係合リブ６４と連結上壁２４が互いに弾性変形しながら、係合リブ６４が連結上壁２４を乗越えてパチンと圧嵌係合する。同時に、グリップ２の区室６０側に設けた左右一対のボス５８が押え枠５の連結板壁５１の左右端と係合する。上記のように、グリップ２の印字ケース１に対する組付け初期に、第３係合部６３とグリップ連結部３０を互いに位置決めした状態で圧嵌係合すると、グリップ２が無理な組付姿勢のままで連結体２０に組付けられるのを一掃して、グリップ２を常に適正な状態で連結体２０に組付けることができる。また、組付けの過程で、第３係合部６３やグリップ連結部３０に無理な力が加わって変形し破損することもない。
【００４６】
図１に示すように、組付け状態のグリップ２の下面は、印字ケース１の周囲壁の上面で受止められ、その左右壁の係合リブ６４が連結上壁２４で受止められている。さらに、第２規制部６７が第１規制部６６で、ボス５８が連結板壁５１の左右端でそれぞれ受止められており、グリップ２の前後壁が押え枠５の連結板壁５１で受止められている。従って、印字ケース１に装着した状態のグリップ２は、印字ケース１および連結体２０と、傾動規制構造および押え枠５の前後壁で、前後、左右、上下方向へ移動不能に係合固定されている。従って、印字ケース１に装着した状態のグリップ２が、印字ケース１に対して移動し、あるいはがた付くのをさらに確実に防止して、印面の両端で印字濃度にばらつきが生じるのを解消できる一行印型のゴム印判が得られる。なお、インク吸蔵体４にインクを補充する場合にはグリップ２を印字ケース１から取外すが、このとき、グリップ２の前後壁の左右中央を互いに近付く側へ押圧して、主面壁５４を内向きに湾曲させながら分離操作すると、グリップ２を印字ケース１から容易に取外すことができる。
【００４７】
以上のように、本発明のゴム印判によれば、印字ケース１を基本構造体にして、その主区画１１にゴム印字体３とインク吸蔵体４を装着し、さらに印字ケース１に設けた連結体２０にばねユニット６と、押え枠５と、グリップ２を、所定の手順に従って組み付けるだけで、的確にしかも簡便に組立を行なうことができる。また、ばねユニット６は、印字ケース１の上開口の側から組付開口２１を介してばね区画１２に差込み、この状態で第１係合部３８をばね連結部２８に圧嵌係合することにより、連結ピース３４を印字ケース１と一体化できるので、従来のこの種のゴム印判と同様に構成部品点数を削減しながら、ばねユニット６の印字ケース１に対する組立を簡便かつ的確に行なうことができる。また、押え枠５の連結板壁５１に設けた第１規制部６６と、グリップ２の前後壁に設けた第２規制部６７とを互いに凹凸係合し、さらに、押え枠５の連結板壁５１の左右端と、グリップ２の区室６０側に設けた左右一対のボス５８とを係合させて、捺印時にグリップ２がぐらつくのを規制して、常に良質の捺印結果を発揮できる一行印型のゴム印判を提供できる。
【００４８】
組立が完了した状態においては、左右の脚ピース３５がばね区画１２の下面に突出するので、脚ピース３５を支持する紙面や支持面から印面３ａを浮揚した状態で支持できる。したがって、キャップ７を装着した状態ではもちろんであるが、キャップ７を取り外した状態であっても、多数個のゴム印判を印箱に起立した姿勢で整理収納して、印面３ａに塵埃などが付着するのを防止できる。捺印時には、位置決め凹部１５・１６および中央指標１７を目安にして印字位置を決め、グリップ２を押し下げて印面３を紙面に押し付けることにより、文字列などを捺印できる。
【００４９】
ゴム印判の左右幅は２０から１００ｍｍの範囲内で選定することができるが、通常は左右幅が４０ｍｍと、５０ｍｍと、６０ｍｍのゴム印判が多用される。このように、ゴム印判の左右幅が異なる場合でも、左右一対のばねユニット６を共通部品として使用することができる。また、前後のグリップ体２ａ・２ｂ、および左右のばねユニット６・６を同一部品で構成するので、部品の製造および管理に要する手間を軽減できる。
【００５０】
図１１はグリップ２の連結構造の変形例を示している。そこでは、連結体２０に設けたグリップ連結部３０の係合案内面３１の傾斜度合を大きくし、さらに、係合リブ６４の上側の突端隅部を丸めて、グリップ２の連結体２０に対する着脱をより軽快に行えるようにした。これにより、インク吸蔵体４に対するインクの補充を簡便に行うことができる。他は先の実施例と同じであるので、同じ部材に同じ符号を付してその説明を省略する。
【００５１】
上記の実施例以外に、ばねユニット６のばね部３３はｍ字状である必要はなく、Ｍ字状、Ｗ字状、あるいはＺ字状などに変更することができる。グリップ２は、前後に２分割した前後のグリップ体２ａ・２ｂで構成する必要はなく、下向きに開口する１個の射出成形品で形成することができる。第１規制部６６と第２規制部６７の凹凸関係は、前者が凸構造で後者が凹構造であってもよく、必要があれば両規制部６６・６７を連結板壁５１とグリップ２の前後壁の対向面の複数個所に設けることができる。また、第１規制部６６と第２規制部６７を係合した状態における係合面は垂直面である必要はなく、逆ハ字状の傾斜面や部分円弧面、あるいは部分楕円面など、第２規制部６７を第１規制部６６に上方から係合できる係合面であれば任意の形状に形成することができる。係合突起６４はリブ状に形成する必要はなく、ひとつ以上の突起やピン、あるいは下向きの段部などで形成することができる。
【符号の説明】
【００５２】
１  印字ケース
２  グリップ
３  ゴム印字体
４  インク吸蔵体
５  押え枠
６  ばねユニット
１０  区画壁
１１  主区画
１２  ばね区画
２０  連結体
２１  組付開口
２２  基底壁
２３  連結縦壁
２４  連結上壁
２８  ばね連結部
２９  枠連結部
３０  グリップ連結部
３３  ばね部
３４  連結ピース
３８  第１係合部
４６  接当壁
４７  第２係合部
４８  押圧突起
４９  段部
５１  連結板壁
６３  第３係合部
６４  係合リブ（係合突起）
６６  第１規制部
６７  第２規制部
【図１】
0005984857.tif 000002
【図２】
0005984857.tif 000003
【図３】
0005984857.tif 000004
【図４】
0005984857.tif 000005
【図５】
0005984857.tif 000006
【図６】
0005984857.tif 000007
【図７】
0005984857.tif 000008
【図８】
0005984857.tif 000009
【図９】
0005984857.tif 000010
【図１０】
0005984857.tif 000011
【図１１】
0005984857.tif 000012